(57)【特許請求の範囲】
【請求項１】
発光管を外管内に保持してなる管入力１００ワット以下のメタルハライドランプにおいて、両端に電極を封着してなる石英ガラス製発光管内に希ガスと水銀と共に少なくとも１種の希土類金属ハロゲン化物を封入し、（１）外球内を真空にし、（２）発光管形状を略回転楕円体形状とし、（３）発光管の内表面当たりのワット数（壁面負荷）を１４Ｗ／ｃｍ2 から２３Ｗ／ｃｍ2 とし、（４）発光管の重量Ｗ（ｇ）とランプのワット数Ｐ（Ｗ）との比を０．０３９より小さい範囲とし、（５）電極の重量Ｍ（ｍｇ）とランプのワット数Ｐ（Ｗ）との比を０．７５より小さい範囲とすることにより平均演色評価数（Ｒａ）を９０以上とし、かつ前記発光管両端の管内の封着部の内面に窪みを形成してなるメタルハライドランプ。
【請求項２】
前記発光管は、石英製の円筒状スリ−ブにより、その外周が囲まれていることを特徴とする請求項１項記載のメタルハライドランプ。
【請求項３】
前記発光管の封入物質は、アルゴンガスと水銀と共にヨウ化ジスプロシウム（ＤｙＩ3 ）、ヨウ化タリウム（ＴｌＩ）及びヨウ化セシウム（ＣｓＩ）である請求項１又は２項記載のメタルハライドランプ。
【請求項４】
前記発光管の封入物質は、アルゴンガスと水銀と共にヨウ化ジスプロシウム（ＤｙＩ3 ）、ヨウ化ネオジウム（ＮｄＩ3 ）及びヨウ化セシウム（ＣｓＩ）である請求項１又は２項記載のメタルハライドランプ。
【発明の詳細な説明】
【０００１】
【発明が属する技術分野】
本発明は、管入力が１００ワット以下の低ワットで高演色形のメタルハライドランプに関し、特に発光管形状の改良に関する。
【０００２】
【従来の技術】
従来この種のメタルハライドランプとしては、主に発光効率を重視したスカンジウム（Ｓｃ）−ナトリウム（Ｎａ）系メタルハライドランプと、演色性を重視したディスプロシウム（Ｄｙ）−タリウム（Ｔｌ）系のメタルハライドランプがある。
近年、省電力の観点から発光効率の優れたメタルハライドランプを従来の白熱電球又はハロゲン電球に変えて低ワットのメタルハライドランプが用いられるようになっている。
【０００３】
一般に、店舗照明や屋内照明用光源として使用する場合、明るいだけでは不十分であり色の見え方が自然に近いもので、かつ自然な雰囲気をかもしだすことが要求される。
しかし、メタルハライドランプは管入力が小さくなるほど、発光管両端の封着部からの熱伝導損失や熱輻射損失の割合が大きくなり、発光効率や色特性が低下してしまう。
特に、ディスプロシウムなど希土類金属のヨウ化物を含む添加物系では平均演色評価数Ｒａを９０以上とするために、発光管単位表面積当りの管入力である壁面負荷を上げると、石英発光管が膨らんだりして短寿命なってしまう欠点がある。
【０００４】
【発明が解決しようとする課題】
そこで、本発明者は先に特願平６−３２３８９６号として、発光管の構造等の条件を規定することにより、前記したような問題点を解決しているが、発光管の端部構造のわずかな違いにより、色温度が大きく変化するという新たな問題が生じている。
特に、１００ワット以下のメタルハライドランプは、発光管をコンパクトに設計する必要があり、発光管端部の形状や電極の突出し長のわずかな違いを制御することが困難であった。
【０００５】
本発明は前記の点に鑑みてなされたもので、発光効率及び色特性が優れ、かつ寿命特性も良好で、寿命期間を通して色温度のバラツキが少ない管入力１００ワット以下のメタルハライドランプを提供することを目的とする。
【０００６】
【課題を解決するための手段】
前記目的を達成するため、本発明は、両端に電極を封着してなる石英ガラス製発光管内に希ガスと水銀と共に少なくとも１種の希土類金属ハロゲン化物を封入し、外球内を真空にし、発光管形状を略回転楕円体形状とし、発光管の内表面当たりのワット数（壁面負荷）を１４Ｗ／ｃｍ2 から２３Ｗ／ｃｍ2 とし、発光管の重量Ｗ（ｇ）とランプのワット数Ｐ（Ｗ）との比を０．０３９より小さい範囲とし、電極の重量Ｍ（ｍｇ）とランプのワット数Ｐ（Ｗ）との比を０．７５より小さい範囲とすることにより平均演色評価数（Ｒａ）を９０以上とし、かつ前記発光管両端の管内の封着部の内面に窪みを形成してなる。
又、前記発光管は石英製の円筒状スリ−ブにより、その外周が囲まれていることを特徴とする。
更に、前記発光管の封入物質はアルゴンガスと水銀と共にヨウ化ジスプロシウム（ＤｙＩ3 ）、ヨウ化タリウム（ＴｌＩ）及びヨウ化セシウム（ＣｓＩ）であるか、アルゴンガスと水銀と共にヨウ化ジスプロシウム（ＤｙＩ3 ）、ヨウ化ネオジウム（ＮｄＩ3 ）及びヨウ化セシウム（ＣｓＩ）である。
【０００７】
【作用】
前記構成のうち、発光管形状を略回転楕円体形状とするのは発光管表面温度をほぼ均一にし部分的に高温となる部分をなくすためであり、外球内を真空にするのはガスの対流による熱ロスを極力少なくするためであり、壁面負荷を１４〜２３Ｗ／ｃｍ2 の範囲とすることでランプ特性を維持しかつ発光管温度を適正範囲（ランプ寿命ほぼ６０００時間以上を実現できる）に規制することができ、発光管重量Ｗ（ｇ）とランプのワット数Ｐ（Ｗ）の比を０．０３９より小さい範囲とするのは発光管の最冷部温度を所定の添加物の蒸気圧が得られるのに必要な温度とするためである。
そして、色温度のバラツキを小さくするために発光管最冷部となる発光管両端の管内の封着部の内面に添加物を溜める窪みを形成している。
【０００８】
【発明の実施の形態】
図１は本発明の実施例である７０Ｗのメタルハライドランプを示す側面図であり、図中１は石英製の発光管、２はその両端外面に形成した保温膜、３は口金、４は外球バルブ、５ａ，５ｂはリ−ド線を兼ねた発光管支柱、６は石英製の円筒状スリ−ブであり発光管の外周に配置され、スリ−ブ止め金具７を介して保持されている。又、８はゲッタ−であり、外球内は真空にしてある。
【０００９】
図２は上記ランプに用いた発光管１の要部断面図を示す。
発光管１は石英ガラスよりなり、回転楕円体状に形成されている。発光管内には１対の主電極９，１０が対設されており、両端の封着部１１，１２にはモリブデン製の金属箔１３，１４が前記主電極と共に封止されている。
又、発光管の最冷部である管内の封着部の内面には添加物が溜る窪み１５，１６が複数形成されている。
そして、この発光管１内には所定量の水銀とヨウ化ディスプロシウムのような希土類金属のヨウ化物とタリウムのヨウ化物及びセシウムのヨウ化物と共にアルゴンガスが封入されている。
【００１０】
次に、実験結果について説明する。
まず、発光管の壁面負荷（Ｗ／ｃｍ2 ）と、発光管の重量Ｗ（ｇ）とワット数Ｐ（Ｗ）とを種々変えて、ランプを試作し点灯実験を行なった。
この試作ランプは電極は芯棒径が０．３ｍｍ，０．３５ｍｍ，０．４ｍｍで、コイルの線径は０．１５ｍｍ，０．２ｍｍ，０．２５ｍｍであり、エバーライフ型で６ターンのものを用いた。又、管入力は７０ワットとし、発光管にはヨウ化ディスプロシウム１．９ｍｇ／ｃｃ、ヨウ化タリウム０．５ｍｇ／ｃｃ、水銀８．８ｍｇ／ｃｃ、アルゴンガス２００Ｔｏｒｒを封入したものを用いた。
この実験結果を図３に示す。
【００１１】
図３より、Ｗ／Ｐの値が０．０３９の場合、壁面負荷の値が１４より小さい場合は目標する平均演色評価数（Ｒａ）を９０以上とすることができない。
又、壁面負荷の値が１４以上の場合でも、Ｗ／Ｐの値が０．０３９を超えると、Ｒａは９０より小さくなる。
【００１２】
次に、発光管の壁面負荷（Ｗ／ｃｍ2 ）と、発光管電極の重量Ｍ（ｇ）とワット数Ｐ（Ｗ）とを種々変えて、ランプを試作し点灯実験を行なった。
その結果を図４に示す。
図４においても図３とほぼ同様な結果が得られた。即ち、Ｍ／Ｐの値が０．７５の場合、壁面負荷１４より小さい場合はＲａ９０以上を達成できない。
又、壁面負荷の値が１４以上の場合でも、Ｍ／Ｐの値が０．７５を超えるとＲａ９０以上を達成できない。
【００１３】
そして、発光管の内部に形成した窪みの有無について説明する。
本発明に係わるランプと従来構造のランプ各２０本について点灯初期の色温度とランプ電圧とを測定したところ、図５に示すような結果が得られた。
図５中、○印が本発明ランプ、×印が従来ランプである。図から明らかなように窪みを形成したランプが色温度のバラツキの範囲が小さくなり、中心値４６００Ｋの±７％以内に入っていることが認められる。
【００１４】
なお、前記実施例では７０ワットのランプについて説明したが、本発明は１００ワット以下の他のワットのランプでもほぼ同様な効果が認められる。しかし、、１００ワットを超える１５０Ｗあるいは２００Ｗ以上のランプでは前記した傾向は認められなかった。
【００１５】
【発明の効果】
以上説明したように、本発明は発光効率が高く色特性が良好であり、色温度３０００Ｋ以上で５０００Ｋ以下の色温度範囲が中心値の±７％以下であり、平均演色評価数Ｒａが９０以上であるので、屋内照明用光源として最適であり、白熱電球やハロゲン電球より高効率でありエネルギ−節約の効果が大きく、蛍光灯に比べ光源が小さいため照明器具をコンパクトに設計できる等の利点がある。
【図面の簡単な説明】
【図１】本発明に係わるメタルハライドランプの一実施例を示す側面図である。
【図２】同じく発光管の要部断面図である。
【図３】発光管の重量Ｗ（ｇ）とワット数Ｐ（Ｗ）とを種々変えたランプの発光管壁面負荷（Ｗ／ｃｍ2 ）と、平均演色評価数（Ｒａ）との関係を示す特性図である。
【図４】発光管の電極の重量Ｍ（ｇ）とワット数Ｐ（Ｗ）とを種々変えたランプの発光管壁面負荷（Ｗ／ｃｍ2 ）と、平均演色評価数（Ｒａ）との関係を示す特性図である。
【図５】本発明ランプと従来ランプの色温度（Ｋ）とランプ電圧（Ｖ）との関係を示す特性図である。
【符号の説明】
１    発光管
２    保温膜
３    口金
４    外球バルブ
５ａ，５ｂ    発光管支柱
６    石英製スリーブ
７ａ，７ｂ    スリーブ止め金具
８    ゲッター
９    電極
１０    電極
１１    封着部                          １４    モリブデン箔
１２    封着部                          １５    窪み
１３    モリブデン箔                    １６    窪み
【図１】
0003668911.tif 000002
【図２】
0003668911.tif 000003
【図３】
0003668911.tif 000004
【図４】
0003668911.tif 000005
【図５】
0003668911.tif 000006